(57)【要約】【課題】はがきに隣接する帳票紙片を記載情報保護紙片とし、境界の折畳部で折り畳むことで、送信情報を確実に保護してはがきとして送付できる広幅のはがき内包帳票を提供する。【解決手段】はがき帳票紙片を含む複数の帳票紙片が連接された第一のシートと、第一のシートと同一の高さを有し、第一のシートの幅方向の紙端の折り返し部で第一のシートに重ね合わさるように接合された第二のシートからなるはがき内包帳票であって、前記第一のシートは、前記折り返し部の逆の紙端から保護帳票紙片，はがき帳票紙片，その他帳票紙片が順次連接された形態をなし、前記保護帳票紙片の片面の少なくとも一部に再剥離再貼付型の接着剤が保護紙に被覆された状態で形成され、前記はがき帳票紙片の前記保護帳票紙片の接着剤形成面側に、送信情報記載欄が設けられたことを特徴とするはがき内包帳票を提供する。【選択図】  図１
2009274339.tif 000002
【特許請求の範囲】
【請求項１】
はがき帳票紙片を含む複数の帳票紙片が連接された第一のシートと、第一のシートと同一の高さを有し、第一のシートの幅方向の紙端の折り返し部で第一のシートに重ね合わさるように接合された第二のシートからなるはがき内包帳票であって、
前記第一のシートは、前記折り返し部の逆の紙端から保護帳票紙片，はがき帳票紙片，その他帳票紙片が順次連接された形態をなし、
前記保護帳票紙片の片面の少なくとも一部に再剥離再貼付型の接着剤が保護紙で被覆された状態で形成され、
前記はがき帳票紙片の前記保護帳票紙片の接着剤形成面側に、送信情報記載欄が設けられたことを特徴とするはがき内包帳票。
【請求項２】
請求項１に記載のはがき内包帳票の使用方法であって、はがき内包帳票は、第一のシートと第二のシートが重ね合わされた状態で、第一のシートの連接部で巻折り状に折り畳まれて提供される段階と、巻折り状のはがき内包帳票が展開されてはがきに送信情報が記載される段階と、はがきに隣接する保護帳票紙片の接着剤面の保護紙が剥ぎ取られる段階と、前記はがきと前記保護帳票紙片の連接部で折り畳まれて送信情報が再剥離再貼付型の接着剤面によって被覆される段階と、はがき内包帳票からはがきが切り取られて送付される段階と、再剥離再貼付型の接着剤面ではがきから前記保護帳票紙片が剥ぎ取られる段階と、送信情報が読み取られる段階を含む段階からなることを特徴とするはがき内包帳票の使用方法。
【発明の詳細な説明】
【技術分野】
【０００１】
本発明は、はがきに記載した送信情報を確実に保護して郵送することができる広幅のはがき内包帳票及びその使用方法に関する。
【背景技術】
【０００２】
現状、例えば、幅が４５ｃｍ（約１８インチ）以上の広幅帳票を製造する場合、ロール紙では製造設備が入手できないため、平判の用紙を使用して製造する。
また、はがきが綴じられている申込書などの帳票には、記載した送信情報を覗き見から護るために記載情報保護シールが剥離可能再貼付可能な状態で申込書に貼付している。
前述の平判の用紙を使用して製造された巻折り仕様の申込書などに前述の記載情報保護シールを貼付する場合は、申込書ができあがった状態で、申込書の表出面に記載情報保護シールを貼付しているために、帳票のコストが高くなるという課題があった。
【０００３】
そこで、少量から大量まで任意の量の情報を隠蔽して送りとどけることができ、メールフォームとしての製造加工が容易でコストが安く、宛て名と返信用はがきの差出人、申込欄に申込人の住所、氏名等を一度に出力印字することで、申込人は必要最低限の事項を記入するだけで直ぐ投函でき、また、開封は容易で、ゴミの発生がなく、開封すると印刷情報が枚葉紙と同じような状態で一覧できるはがき内封型折り重ねフォームが提供されている。
【０００４】
【特許文献１】特開平７−２６６７５３号公報
【発明の開示】
【発明が解決しようとする課題】
【０００５】
特許文献１に記載されている内容によれば、複数の帳票片が折りミシン目を介して連接され、該折りミシン目で交互に反対方向に折り返されて加圧、剥離可能に粘着されて封止されるメールフォームにおいて、該折りミシン目で折り返されて対向する所定の２枚の帳票片のそれぞれに該折りミシン目に対して対象形になる位置に、はがきサイズの切り取り部が設けられ、該切り取り部の対向する両面は剥離不能に粘着されることを特徴とするとしている。
しかしながら、特許文献１に記載されているはがき内封型折り重ねフォームは、ジグザグ仕様で製造するため、巻折りで供給できるものではない。
そこで、本発明では、１８インチ以上の幅の巻折り帳票をロール紙を使用して作製し、はがきに隣接する帳票片に記載情報保護シール部を形成し、境界の折畳部で折り畳むことで、送信情報を確実に保護してはがきとし、送付できるはがき内包帳票及びその使用方法を提供することを目的とするものである。
【課題を解決するための手段】
【０００６】
前記課題の目的を達成するために、本発明のはがき内包帳票の第一の態様は、はがき帳票紙片を含む複数の帳票紙片が連接された第一のシートと、第一のシートと同一の高さを有し、第一のシートの幅方向の紙端の折り返し部で第一のシートに重ね合わさるように接合された第二のシートからなるはがき内包帳票であって、前記第一のシートは、前記折り返し部の逆の紙端から保護帳票紙片，はがき帳票紙片，その他帳票紙片が順次連接された形態をなし、前記保護帳票紙片の片面の少なくとも一部に再剥離再貼付型の接着剤が保護紙で被覆された状態で形成され、前記はがき帳票紙片の前記保護帳票紙片の接着剤形成面側に、送信情報記載欄が設けられたことを特徴とするものである。
【０００７】
また、第二の態様は、第一の態様のはがき内包帳票の使用方法であって、はがき内包帳票は、第一のシートと第二のシートが重ね合わされた状態で、第一のシートの連接部で巻折り状に折り畳まれて提供される段階と、巻折り状のはがき内包帳票が展開されてはがきに送信情報が記載される段階と、はがきに隣接する保護帳票紙片の接着剤面の保護紙が剥ぎ取られる段階と、前記はがきと前記保護帳票紙片の連接部で折り畳まれて送信情報が再剥離再貼付型の接着剤面によって被覆される段階と、はがき内包帳票からはがきが切り取られて送付される段階と、再剥離再貼付型の接着剤面ではがきから前記保護帳票紙片が剥ぎ取られる段階と、送信情報が読み取られる段階を含む段階からなることを特徴とするものである。
【発明の効果】
【０００８】
１）第一の態様のように、はがき帳票紙片を含む複数の帳票紙片が連接された第一のシートと、第一のシートと同一の高さを有し、第一のシートの幅方向の紙端の折り返し部で第一のシートに重ね合わさるように接合された第二のシートからなるはがき内包帳票であって、前記第一のシートは、前記折り返し部の逆の紙端から保護帳票紙片，はがき帳票紙片，その他帳票紙片が順次連接された形態をなし、前記保護帳票紙片の片面の少なくとも一部に再剥離再貼付型の接着剤が保護紙で被覆された状態で形成され、前記はがき帳票紙片の前記保護帳票紙片の接着剤形成面側に、送信情報記載欄が設けられたことによって、１８インチ以上の幅を有するはがき内包帳票を製造することが可能となり、安価に送信情報保護構造付き申込書を製造することができる。
また、再剥離再貼付型の接着剤が形成された保護帳票紙片を折畳部ではがき面側に折り畳むことにより、情報を記載した部分に送信情報保護帳票紙片を正確に貼り付けることが出きる。
はがきは、宛先に届けられるまで記載された送信情報が覗き見されることがない。
そして、はがきを受け取った側は、再剥離再貼付型の接着剤形成面から保護帳票紙片を剥がして記載された送信情報を読み取ることができる。
また、ロール仕様で作製可能なため、個人情報などの印字（プリント）が必要な場合も、容易に対応できる。
また、はがき内包帳票は、巻折り形態になっているために、または、巻折り可能な形態になっているために容易に封筒に同封して送付することができる。
【発明を実施するための最良の形態】
【０００９】
以下、図面を参照して本発明のはがき内包帳票について詳細に説明する。
図１は、本発明のはがき内包帳票について説明するための図，図２は、図１のＡ−Ａ線断面図，図３は、第二のシートを展開した図，図４は、本発明のはがき内包帳票の使用方法について説明するための図，図５は、従来のはがき内包帳票について説明するための図，である。
【００１０】
図１を参照して、本発明のはがき内包帳票について説明する。
以下の説明では、本発明のはがき内包帳票について、第一のシートははがきを含む４つの帳票紙片で構成され、第二のシートは２つの帳票紙片で構成されるはがき内包帳票の例で説明するが、本発明のはがき内包帳票は、前述の構成に拘るものではない。
【００１１】
図１において、本発明のはがき内包帳票１０は、はがき帳票紙片（以下、はがきともいう。）１２を含む複数の帳票紙片が折畳部（以下、連接部ともいう。）７で連接された第一のシート（図示せず）と、第一のシートと同一の高さを有し、第一のシートの幅方向の紙端の折り返し部１４１で第一のシートに重ね合わさるように接合された第二のシート（図示しないが、帳票紙片３１，３２で構成されたシート）からなるはがき内包帳票である。
前述の第一のシートは、前記折り返し部１４１の逆の紙端から保護帳票紙片１１，はがき帳票紙片１２，その他帳票紙片１３，１４が順次連接された形態をなしている。
また、保護帳票紙片１１の片面全面、または、一部に再剥離再貼付型の接着剤（図示せず）が保護紙２に被覆された状態で形成されている。
また、はがき帳票紙片１２の前記保護帳票紙片１１の接着剤形成面側に、送信情報記載欄１２０が設けられている。
【００１２】
はがき帳票紙片１２には、送信情報記載欄１２０が設けてあり、はがきサイズで切り取ることができるようにミシン目状切込みによって切取り部１２１が形成されている。
また、はがき１２に隣接する保護帳票紙片１１には、再剥離再貼付型の接着剤（図示せず）を含む保護帳票紙片１１と保護紙２を貫通する切込み８が形成されている。
はがきの送信情報記載欄１２０に送信情報を記載した後、送信情報を保護するために、切込み８で保護紙を切り離し、隣接する保護帳票紙片１１を折り畳んではがきの送信情報を被覆する。
【００１３】
図では、送信情報記載欄１２０は、はがきの裏面になっているが、はがきのおもて面であってもよい。
前述の切込み８は、送信情報記載欄１２０の位置や、面積に合せて自由に位置を変えて形成することができる。また、必要であれば複数設けることもできる。
【００１４】
はがきは、郵便法によって短辺が９〜１０．７ｃｍに規制されており、その結果、第一のシートは約４０ｃｍの大きさになっている。
また、第二のシートは、図１に示す例では、約２０ｃｍになっており、前述の折り返し部１４１で展開したときに６０ｃｍの大きさの帳票になる。
第二のシートは、前述のように２つの紙片で構成されることに拘るものではないために、例えば、４つの紙片とすることも可能で、巻取り紙で第一のシート，第二のシートを作製し、丁合装置によって折り返し部で接合して帳票化するすることによって、幅３１インチ（約、８０ｃｍ）の広幅の帳票が提供可能になる。
【００１５】
また、はがきは郵便法によって、第一のシートから切り取ったはがきと、はがきの送信情報記載面に貼付された保護帳票紙片及び再剥離再貼付型の接着剤を合せて６ｇ以内になるように、第一のシートは、１２８〜１５７ｇ／ｍ2の紙の中から選択される。
一方、第一のシートの延長上に接合された第二のシートは、紙の坪量，種類を自由に選定することができる。
例えば、第二のシートを複写紙のトップシート、第一のシートを複写紙のボトムシートとすることもできる。
【００１６】
また、本発明のはがき内包帳票は、巻取り紙から作製されるため、第一のシート，第二のシートの何れか、または、両方のシートに個人情報を印字した後丁合し、巻折り帳票とすることができ、第一のシートと第二のシートを接合した状態で、３１インチ幅のプリントデータ入り帳票として提供することができる。
【００１７】
なお、はがき帳票紙片１２の切取り部１２１で、はがきから切り離されるエリアには、はがきを送信する時のはがきの扱い方の説明が図入りで印刷される。はがき内包帳票１０がカード入会申込書等の場合は、保護帳票紙片１１にカードの説明文などが印刷される。さらに、第一のシートのその他帳票紙片１３，１４、および、第二のシートのその他帳票紙片３１，３２の同一面には会員規約の一部に関する内容が、裏側の面にはサービスの内容，会費や利用金額の支払方法等、について詳細に印刷される。
【００１８】
前述のように、はがき内包帳票１０は、それぞれの連接部７で巻折りにされて、矢印の右側に表示されているような帳票形態で使用される。また、このような形態とすることによって、封筒などに入れて便利に郵送することもできる。
【００１９】
図２を参照して、図１のＡ−Ａ線断面について説明する。
本発明のはがき内包帳票１０は、はがき帳票紙片１２を含む保護帳票紙片１１，その他帳票紙片１３，１４が連接部７で連接された第一のシート１と、第一のシート１と同一の高さを有し、第一のシート１の幅方向の紙端の折り返し部１４１で第一のシートに重ね合わさるように接合された第二のシート３で構成されている。第二のシート３は、その他帳票紙片３１，３２が連接部７で連接された形態になっている。
【００２０】
さらに、前記第一のシート１の前記保護帳票紙片１１のはがき送信情報記載面側には、再剥離再貼付型の接着剤５が保護帳票紙片１１の一部、または、全面に形成されている。
また、図示しないが、保護帳票紙片１１には再剥離再貼付型の接着剤５を含む保護帳票紙片１１と保護紙２を貫通する切込みが形成されている。
前述の切込みは、はがきの送信情報記載欄に送信情報が記載された後、隣接する保護帳票紙片１１の再剥離再貼付型の接着剤５が形成された面を折り畳んで容易に、しかし、正確に送信情報記載欄を被覆するために形成される。
【００２１】
図示しないが、はがき帳票紙片１２の、前記帳票紙片１１の再剥離再貼付型の接着剤５が形成された側には、送信情報記載欄が設けてあり、また、はがきサイズで切り取ることができるようにミシン目状の切込みによる切取り部が形成されている。
【００２２】
図２の一部と、図３を参照して第二のシートを展開した状態について説明する。
本発明の、はがき内包帳票１０は、はがき帳票紙片１２を含む保護帳票紙片１１，その他帳票紙片１３，１４が連接部７で連接された第一のシート１と、第一のシート１と同一の高さを有し、第一のシート１の幅方向の紙端の折り返し部１４１で第一のシートに重ね合わさるように接合された第二のシート３で構成されている。第二のシート３は、その他帳票紙片３１，３２が連接部７で連接されたシートになっている。
図２で判るように第一のシート１の端部は、折り返された状態で第二のシートと接合されている。そして、折り返された接合部を展開すると、図３に示すように、第一のシートの延長上に第二のシートが小さな段差で貼り合わされた状態になる。
【００２３】
図でわかるように、第一のシート，第二のシートそれぞれに個人情報を印字すれば、はがきを内包した３１インチ（約、８０ｃｍ）幅のプリント帳票を提供することができる。
【００２４】
図４を参照して、本発明のはがき内包帳票の使用方法について説明する。
図示しないが、先ず、図１で説明したように、はがき内包帳票は、第一のシートと第二のシートが作製される段階と、丁合装置で重ね合わされて接合される段階を経て、第一のシートの連接部で巻折り状に折り畳まれて提供される。
はがき内包帳票が使用される段階で、ａ図に示すように、先ず、巻折り状のはがき内包帳票が展開される。
ａ図に示す状態で、はがき帳票紙片１２のはがきに送信情報が記載される。
次に、ｂ図に示すように、はがきに隣接する帳票紙片１１の保護紙２が再剥離再貼付型の接着剤５の面から剥ぎ取られる。
次に、ｃ図に示すように、はがき１２と保護帳票紙片１１の連接部７で折り畳まれ、送信情報（図示せず）記載面と保護帳票紙片１１の再剥離再貼付型の接着剤５の面が貼り合わされて、はがきの送信情報が被覆される。
はがき帳票紙片１２が隣接するその他帳票紙片（図示せず）から折畳部７で切り離される。図示しないが、さらに、はがき帳票紙片１２からはがき以外の部分が切り取られ、はがきが送付される。
ｄ図に示すように、はがきを受け取った側は、再剥離再貼付型の接着剤５で、はがき１２から保護帳票紙片１１を剥ぎ取る。
保護帳票紙片１１が剥ぎ取られた状態で、帳票紙片１２に記載された送信情報（図示せず）が読み取られる。
【００２５】
図５を参照して、従来のはがき内包帳票について説明する。
従来のはがき内包帳票１００は、４つの帳票紙片１１００，１２００，１３００，１４００が折畳部７０で連接されている。図５に示す例では、はがきが、はがき内包帳票１００の一方の紙端に配置されている。
中央の帳票紙片１３００には、はがきに記載された個人情報を被覆するための送信情報保護シール（個人情報保護シールともいう。）６が剥離可能再貼付可能に貼付されている。
申込者は、図に示すはがき１２００の送信情報記載欄に送信情報を記載し、送信情報記載面に個人情報保護シール６を貼付してはがきとして郵送する。
【００２６】
（材料）
図２を参照して、本発明のはがき内包帳票に使用される材料の一例について説明する。
但し、下記に限定するものではない。
はがき内包帳票１の第一のシート及び第二のシートに使用される材料として、例えば、上質紙，中質紙，下級紙，色上質紙等の非塗工紙、アート紙，コート紙，軽量コート紙等の塗工紙、エンボス紙，キャストコート紙，クラフト紙、ノーカーボン複写紙等から適宜選択して使用する。
第一のシート１に使用される紙は、第一のシート１から切り取ったはがきと貼付された保護帳票紙片、および、粘着剤を合せて６ｇ以内になるよう１２８〜１５７ｇ／ｍ2の紙の中から選択する。
【００２７】
接合部４に使用される接着剤は、例えば、アクリル系樹脂，ビニル系樹脂，ポリエステル系樹脂，ウレタン系樹脂，アミド系樹脂，エポキシ系樹脂，ゴム系樹脂，アイオノマー系樹脂等の、公知の接着剤の中から選択して使用する。
また、再剥離再貼付型の接着剤５に使用される接着剤として、粘着剤に微球を添加したものや、粘着剤に硬化剤を添加した、例えば、２ＥＨＡ（２エチルヘキシルアクリレート）等のガラス転移温度が低いアクリル樹脂をエマルジョン化したものを使用する。
また、図示しないが、はがき内包帳票の印刷に使用するインキは、市販の紫外線硬化型のオフセットインキを使用する。
【産業上の利用可能性】
【００２８】
各分野で利用されているはがき内包帳票に利用できる。
【図面の簡単な説明】
【００２９】
【図１】本発明のはがき内包帳票について説明するための図である。
【図２】図１のＡ−Ａ線断面図である。
【図３】第二のシートを展開した図である。
【図４】本発明のはがき内包帳票の使用方法について説明するための図である。
【図５】従来のはがき内包帳票について説明するための図である。
【符号の説明】
【００３０】
１      第一のシート
２      保護紙
３      第二のシート
４      接合部
５      再剥離再貼付型の接着剤
６      送信情報保護シール
７，７０  折畳部，連接部
８      切り込み
１０，１００  はがき内包帳票
１１    保護帳票紙片
１２，１２００  はがき，はがき帳票紙片
１３，１４，３１，３２，１１００，１３００，１４００  その他帳票紙片
１２０  送信情報記載欄
１２１  切取り部
１４１  接合部，折り返し部
【図１】
2009274339.tif 000003
【図２】
2009274339.tif 000004
【図３】
2009274339.tif 000005
【図４】
2009274339.tif 000006
【図５】
2009274339.tif 000007